(57)【要約】【課題】構造が簡単で、安価に製造でき、かつ、電気回路への静電気の飛び込みの影響を無くしたカメラのボタンスイッチ構造を提供する。【解決手段】レリーズボタン１とパワーオンボタン２が腕部から延びたボタン支持部により支持され、これらは一体に成形され、その表面に金属メッキが施されている。レリーズボタン１とパワーオンボタン２は、ミドルカバー４に取り付けられ、腕部の両端は導電性フロントカバーと導電性リアカバーに電気的に接続される。また、腕部の下面から延びたポスト２１は、ボタンの押し下げによりオン動作させられるスイッチ７，８を搭載する基板上のグランド部に電気的に接続される。外部からボタンを介して飛び込む静電気は、フロントカバー，リアカバーやグランドに吸収されるため、電気回路への影響を防止できる。【選択図】　　　　図２
2004087220.tif 000002
【特許請求の範囲】
【請求項１】
導電性フロントカバーと導電性リアカバーに挟持される非導電性のミドルカバーに取り付けられる１以上のボタンと、
腕部と、
前記１以上のボタンからそれぞれ延出されてボタン周縁に沿って延び前記腕部に接続されるボタン支持部と、
前記腕部に設けられ、前記導電性フロントカバーと導電性リアカバーにそれぞれ電気的に接続させられる接続部と、
前記腕部に設けられ、ボタンの押し下げによりオン動作させられるスイッチ部を搭載する基板上のグランド部に電気的に接続されるポスト手段と、
を樹脂性材料で一体に形成し、かつその表面に導電処理を施したことを特徴とするカメラのボタンスイッチ構造。
【請求項２】
前記ボタンには前記スイッチ部を押す押しピンを有することを特徴とする請求項１記載のカメラのボタンスイッチ構造。
【請求項３】
前記１以上のボタンはレリーズボタンとパワーオンボタンの２つであり、前記腕部はレリーズボタンとパワーオンボタンの間に配置されたことを特徴とする請求項１または２記載のカメラのボタンスイッチ構造。
【発明の詳細な説明】
【０００１】
【発明の属する技術分野】
本発明は、カメラのレリーズボタンやパワーオンボタンなどに好適に用いることができる押しボタンスイッチの構造に関する。
【０００２】
【従来の技術】
カメラのボタン、例えばパワーＯＮボタンやシャッターボタンは、カメラ内部の電気基板上のプッシュＳＷをボタンと称した外観機構部品でプッシュＯＮする構造をとることが多い。
従来は外観性を考慮し、外観部は金属またはメッキ処理した樹脂の部品を、ボタン内部は電気回路へのカメラ外部からの静電気の飛び込みを考慮した絶縁樹脂の部品をそれぞれ用い、これらをアッセンブリしてボタンを構成していた。
【０００３】
外観を良く見せるための金属またはメッキ部分のボタンキャップをモールドパーツに組み込んだボタンアセンブリパーツは複数となり、モールドパーツは電気的に中立している状態であった。
【０００４】
【発明が解決しようとする課題】
そのため、外部から電気回路への静電気の飛び込みを防止することは完全ではない。また、ボタン部分のローコスト化および組込性を改善するためアセンブルパーツ数を減少させることが要請される。
本発明の目的は、構造が簡単で、安価に製造でき、カメラ内部の電気回路への静電気の飛び込みを防止できるカメラのボタンスイッチ構造を提供することにある。
【０００５】
【課題を解決するための手段】
前記目的を達成するために本発明によるカメラのボタンスイッチ構造は導電性フロントカバーと導電性リアカバーに挟持される非導電性のミドルカバーに取り付けられる１以上のボタンと、腕部と、前記１以上のボタンからそれぞれ延出されてボタン周縁に沿って延び前記腕部に接続されるボタン支持部と、前記腕部に設けられ、前記導電性フロントカバーと導電性リアカバーにそれぞれ電気的に接続させられる接続部と、前記腕部に設けられ、ボタンの押し下げによりオン動作させられるスイッチ部を搭載する基板上のグランド部に電気的に接続されるポスト手段とを樹脂性材料で一体に形成し、かつその表面に導電処理を施して構成してある。
本発明における前記ボタンには前記スイッチ部を押す押しピンを備えている。
また、本発明における前記１以上のボタンはレリーズボタンとパワーオンボタンの２つであり、前記腕部はレリーズボタンとパワーオンボタンの間に配置されて構成されている。
【０００６】
【発明の実施の形態】
以下、図面を参照して本発明の実施の形態を詳しく説明する。
図１は、本発明によるボタンスイッチ構造を適用したカメラの外観斜視図である。
カメラボディ６の外観部は、前面側の金属性のフロントカバー３，後面側の金属性のリアカバー５およびそれらの間に挟まれている絶縁樹脂性のミドルカバー４により構成されている。
本発明によるボタンスイッチ構造は、レリーズボタン１およびパワーオンボタン２に適用され、これらボタンは一体成形品でメッキ処理され、ミドルカバー４にマウントされている。
後述するように一体成形品の腕部の端部が圧接によりフロントカバー３，リアカバー５に電気的に接続され、ポスト２１がフレキシブルプリント回路基板（ＦＰＣ）１５のＧＮＤパターンに圧接により電気的に接続されている。
【０００７】
図２は、一体成形されたボタン成形部の実施の形態を示す上面斜視図，図３は、ボタン成形部の実施の形態を示す下面斜視図である。
長板状の腕部１０の両端部は上部に立ち上がった形状であり、最も立ち上がった面がぞれぞれフロント接続部１１とリア接続部１２となっている。腕部１０の中間部にピン状に突出している部分は当該ボタン成形部をミドルカバー４に組み立てるときの位置決めピン１９，２０である。位置決めピン２０に連設して腕部１０の下面側からポスト２１が突出している。
【０００８】
レリーズボタン１およびパワーオンボタン２は一面が閉じた円筒形状であり、該レリーズボタン１およびパワーオンボタン２の裏面中央にはＦＰＣ上のスイッチ部を押すためのスイッチ押しピン１３および１４が設けられている。
腕部１０からは支持部１７がレリーズボタン１の周辺を回るように延び、レリーズボタン１の側部に結合されている。同様に支持部１８もパワーオンボタン２の周辺を回るように延び、パワーオンボタン２の側部に結合されている。これら支持部１７，１８はレリーズボタン１およびパワーオンボタン２が押されたとき撓むようになっており、押しを解除したとき、元の位置に復帰する習性を有している。
一体成形されたボタン成形部の金属メッキは銅，クロムメッキ，ニッケルメッキなどが用いられる。
【０００９】
図４および図５は、本発明によるボタンスイッチ構造の縦断面図および横断面図で、ボタン成形部をカメラのミドルカバーに組み込んだ状態を示している。図６は、ボタンスイッチ構造を底面側から見た図で、フレキシブルプリント回路基板を省略したものである。
ミドルカバー４の、段差を有する孔２２，２３にレリーズボタン１およびパワーオンボタン２を挿入し、位置決めピン１９，２０をミドルカバー４の位置決め孔２４，２５に嵌合させて位置決めを行い固定する。
ＦＰＣ１５にはレリーズボタン１の押し下げによりオンさせられるレリーズスイッチ７とパワーオンボタン２の押し下げによりオンさせられるパワーオンスイッチ８とが搭載されており、ＦＰＣ１５は、カメラ筐体の一部２６の上に取り付けられる。
【００１０】
ミドルカバー４をカメラ筐体に取り付けると、レリーズボタン１の押しピン１３とパワーオンボタン２の押しピン１４は、レリーズスイッチ７とパワーオンスイッチ８の真上に位置付けられる。ポスト２１はＦＰＣ１５のＧＮＤパターンの上に圧接され、ボタン成形部の金属メッキ部分は電気的にＦＰＣ１５のグランドレベルに保持される。
レリーズスイッチ７およびパワーオンスイッチ８は、内部に空洞半球形状を有し、この部分を押すと凹み、スイッチオンする構造である。
【００１１】
レリーズボタン１を押すと、レリーズボタン１は下降し押しピン１３がレリーズスイッチ７の空洞半球形状部を押し込み、該空洞半球形状部はペコという音を残して凹み、空洞半球形状部内部のスイッチ接点がオンさせられる。パワーオンスイッチ８も同様な動作でスイッチ接点がオンさせられる。
リアカバー５を装着すれば、リア接続部１２がリアカバー５の裏面に圧接されてリアカバー５とボタン成形部とは電気的に接続される。同様にフロントカバー５を装着すれば、フロント接続部１１がフロントカバー３の裏面に圧接されてフロントカバー５とボタン成形部とは電気的に接続される。したがって、金属性のフロントカバー３および金属性のリアカバー５もグランドレベルと同じレベルとなる。
【００１２】
【発明の効果】
以上、説明したように本発明は、外観を良く見せるためのメッキ部品を前後金属カバーに接触させることに加えてＦＰＣのＧＮＤパターンにも接触させることにより、カメラ外部からの静電気の飛び込みを軽減させることができるとともに１個のパーツで構成が可能となり、組込性が改善され、安価に製造することができる。また、外観が良好なボタンを構成することができる。
【図面の簡単な説明】
【図１】本発明によるボタンスイッチ構造を適用したカメラの外観斜視図である。
【図２】ボタン成形部の実施の形態を示す上面斜視図である。
【図３】ボタン成形部の実施の形態を示す下面斜視図である。
【図４】本発明によるボタンスイッチ構造の縦断面図である。
【図５】本発明によるボタンスイッチ構造の横断面図である。
【図６】本発明によるボタンスイッチ構造を底面側から見た図である
【符号の説明】
１　レリーズボタン
２　パワーオンボタン
３　フロントカバー
４　ミドルカバー
５　リアカバー
６　カメラボディ
７　レリーズスイッチ
８　パワーオンスイッチ
１０　腕部
１１　フロント接続部
１２　リア接続部
１３，１４　スイッチ押しピン
１５　フレキシブルプリント回路基板（ＦＰＣ）
１７，１８　ボタン支持部
【図１】
2004087220.tif 000003
【図２】
2004087220.tif 000004
【図３】
2004087220.tif 000005
【図４】
2004087220.tif 000006
【図５】
2004087220.tif 000007
【図６】
2004087220.tif 000008